(57)【要約】【課題】非対称性抵抗回転軸装置の提供。【解決手段】この非対称性抵抗回転軸装置は、少なくとも一つの抵抗式回転軸機構と弾性素子で構成され、該抵抗式回転軸機構は本体底側の第１枢接機構と支持カバー底側の第２枢接機構を枢接するのに用いられ、該抵抗式回転軸機構は該弾性素子と同一軸線上にあり、該弾性素子は該抵抗式回転軸機構に作用し、該弾性素子の１方向抵抗作用を利用し、支持カバーが正逆方向に回転する時に、一方向の抵抗が大きく、別方向の抵抗が小さい非対称性の回転軸効果を発生し、該抵抗式回転軸機構の抵抗を減らす。これにより支持カバーをある角度に回転させる時、ポータブル電子装置が取り付けられた本体重量を支持でき、並びにそれを定位に保持して変移しない。【選択図】図７
0003165051.tif 000002
【実用新案登録請求の範囲】
【請求項１】
非対称性抵抗回転軸装置において、少なくとも一つの抵抗式回転軸機構と弾性素子で構成され、該抵抗式回転軸機構は本体底側の第１枢接機構と支持カバー底側の第２枢接機構を枢接するのに用いられ、該抵抗式回転軸機構は該弾性素子と同一軸線上にあり、該弾性素子は該抵抗式回転軸機構に作用し、該弾性素子の一方向抵抗作用を利用し、支持カバーが正逆方向に回転する時に、一方向の抵抗が大きく、別方向の抵抗が小さい非対称性の回転軸効果を発生し、該抵抗式回転軸機構の抵抗を減らすことを特徴とする、非対称性抵抗回転軸装置。
【請求項２】
請求項１記載の非対称性抵抗回転軸装置において、該抵抗式回転軸機構は固定座、固定スライドブロック、可動スライドブロック、スプリング、軸棒、軸スリーブ及びナットで構成され、該軸棒の棒体に該スプリング、該可動スライドブロック、該固定スライドブロック及び該固定座が嵌合されて、該ナットで固定されたことを特徴とする、非対称性抵抗回転軸装置。
【請求項３】
請求項１記載の非対称性抵抗回転軸装置において、該弾性素子がねじりバネとされたことを特徴とする、非対称性抵抗回転軸装置。
【請求項４】
請求項１記載の非対称性抵抗回転軸装置において、該弾性素子がねじり板バネとされたことを特徴とする、非対称性抵抗回転軸装置。
【請求項５】
請求項１記載の非対称性抵抗回転軸装置において、該弾性素子が少なくとも一つの弾性体を具えたことを特徴とする、非対称性抵抗回転軸装置。
【請求項６】
請求項２記載の非対称性抵抗回転軸装置において、該軸スリーブの一端に、嵌合部が設けられて、該弾性素子が嵌合固定され、且つ該軸スリーブの該嵌合部に接近する位置に係止溝が設けられて該弾性素子の第１足が嵌め込まれて固定され、該軸スリーブの別側に挿入溝が設けられて該軸棒の固定ヘッドが置き入れられたことを特徴とする、非対称性抵抗回転軸装置。
【考案の詳細な説明】
【技術分野】
【０００１】
本考案は一種の非対称性抵抗回転軸装置に係り、特に、ポータブル電子装置の支持フレームに適用される非対称性抵抗回転軸装置であって、その回転角度を定位に保持して変移しないものに関する。
【背景技術】
【０００２】
コンピュータの発展はマシンルームからパソコン、スマートフォン、フラットパネルコンピュータ等に及ぶ。スマートフォン等のタッチコントロール式のポータブル電子装置１（図１の如し）は、タッチスクリーン１０の技術により、使用者に直観的にコンピュータスクリーン上で直接目標アイコンをクリックさせ、並びに２本以上の指を開く或いは狭める動作によりスクリーン１０上のイメージ或いは文字を拡大或いは縮小できる。このように直接スクリーン１０上でクリックする操作方式により使用者とスクリーン１０の間の距離は強制的にさらに接近させられる。伝統的なコンピュータ使用者とスクリーンの間は、キーボード操作方式により隔てられ、ポータブル電子装置１がタッチパネルを操作インタフェースとするようには、敏捷に操作できない。ポータブル電子装置１は単純な板体構造とされ、使用者はいつでもどこでもスクリーン１０上でタッチ操作が行える。
【０００３】
ポータブル電子装置１はフラットパネルコンピュータのように比較的大型の装置である場合、使用者は片手でコンピュータの重量を支え、もう一方の手で操作しなければならず、卓上或いは膝上に置く場合は、使用者は掌で支持してスクリーンを起こすことにより、最良の閲覧角度を得ることができる。これは使用者にとって極めて不便であり、長時間使用すると使用者の手腕の疲労を形成する。
【０００４】
以上の欠点に基づき、本出願人は図２、３に示される一種のポータブル電子装置の支持フレーム２を提供している（特許文献１）。それは、保護カバー本体２１、支持カバー２２及び回転軸装置２３で構成されている。該回転軸装置２３は二つの回転軸機構２３０で構成され、該回転軸機構２３０は固定座２３１、固定スライドブロック２３２、可動スライドブロック２３３、スプリング２３４、軸棒２３５及びナット２３６を包含する。
【０００５】
以上の部品で構成された構造は、周知の技術に存在する問題を解決することはできるとはいえ、僅かに不足するところがあり、それはすなわち、その支持フレーム２の支持する電子装置は、スクリーン及び電気回路構造に結合されているため、重量が比較的重く、地球の引力の影響により、その傾斜角度が水平位置に近くなると、該回転軸装置２３の負荷が重くなりすぎ、一般にタッチスクリーンを有する電子装置は仮想キーボード入力操作を行う時、傾斜角度を水平位置に接近させることで最も操作しやすくなるが、該回転軸装置２３のスプリング２３４はその弾力が不足するために、支持角度の変移が発生し、もし比較的弾力の強いスプリング或いは板バネを採用すると、回転軸機構２３０の抵抗を大きくすることになり、支持カバー２２の回転抵抗が大きくなり、回転操作に大きな力が必要となる。
【先行技術文献】
【特許文献】
【０００６】
【特許文献１】台湾特許第９９２０５８９７号明細書
【考案の概要】
【考案が解決しようとする課題】
【０００７】
上述の本考案者による従来の技術の使用上の問題を鑑み、本考案者はさらに改良を重ね、終に本考案の非対称性抵抗回転軸装置を創作するに至った。すなわち、本考案の目的は、一種の、定位を保持でき変移しない非対称性抵抗回転軸装置を提供することにある。
【課題を解決するための手段】
【０００８】
上述の本考案の目的を達成するため、本考案の非対称性抵抗回転軸装置は、少なくとも一つの抵抗式回転軸機構と弾性素子で構成され、該抵抗式回転軸機構は本体底側の第１枢接機構と支持カバー底側の第２枢接機構を枢接するのに用いられ、該抵抗式回転軸機構は該弾性素子と同一軸線上にあり、該弾性素子は該抵抗式回転軸機構に作用し、該弾性素子の１方向抵抗作用を利用し、支持カバーが正逆方向に回転する時に、一方向の抵抗が大きく、別方向の抵抗が小さい非対称性の回転軸効果を発生し、該抵抗式回転軸機構の抵抗を減らす。
【０００９】
これにより支持カバーをある角度に回転する時、ポータブル電子装置が取り付けられた本体重量を支持でき、並びにそれを定位に保持して変移しない。
【００１０】
上述の本考案の抵抗式回転軸機構は、固定座、固定スライドブロック、可動スライドブロック、スプリング、軸棒、軸スリーブ及びナットで構成され、該軸スリーブの一端に、嵌合部が設けられて、該弾性素子が嵌合され、且つ該軸スリーブに係止溝が設けられて該弾性素子の第１足が嵌め込まれて固定される。
【００１１】
上述の本考案の弾性素子は、少なくとも一つの弾性体で構成され、該弾性素子はねじりりバネ或いはねじり板バネとされる。
【考案の効果】
【００１２】
本考案によると、支持カバーをある角度に回転する時、ポータブル電子装置が取り付けられた本体重量を支持でき、並びにそれを定位に保持して変移しない。
【図面の簡単な説明】
【００１３】
【図１】周知のポータブル電子装置の支持フレームの立体図である。
【図２】周知の技術の立体図である。
【図３】周知の技術の回転軸機構の立体分解図である。
【図４】本考案の実施例の立体分解図である。
【図５】本考案の実施例の立体図である。
【図６】本考案の回転軸装置の立体分解図である。
【図７】本考案の回転軸装置の立体図である。
【図８】本考案の局部断面図である（一）。
【図９】本考案の局部断面図である（二）。
【図１０】本考案の操作表示図である（一）。
【図１１】本考案の操作表示図である（二）。
【考案を実施するための形態】
【００１４】
図４から図７に示されるように、本考案の回転軸装置５は、少なくとも一つの抵抗式回転軸機構５０間に弾性素子５８が介装されて構成される。該抵抗式回転軸機構５０は本体３底側の第１枢接機構３３と支持カバー４底側の第２枢接機構４１を枢接するのに用いられる。該抵抗式回転軸機構５０は、該弾性素子５８と同一軸線上にあり、該弾性素子５８は少なくともそのうち一つの抵抗式回転軸機構５０に作用し、該弾性素子５８の一方向抵抗作用により、該支持カバー４が正逆回転する時に、一方向の抵抗が大きく、別方向の抵抗が小さい非対称性の回転軸効果を発生する。
【００１５】
該本体３は上半部３１が下半部３２に嵌合されてなり、並びに該電子装置のボデーを収容並びに被覆し（この部分の構造はすでに本考案者による周知の技術に記載されているため、ここでは説明を省略する）、該本体３のその上半部３１に框体３１１と窓３１０が設けられ、該本体３はポータブル電子装置の本体を収容及び被覆でき、且つ該本体３の下半部３２は該電子装置本体の背面を被覆する。該下半部３２にさらに少なくとも一つの収納切欠き３２１が設けられ、該本体３の底側に第１枢接機構３３が設けられ、該第１枢接機構３３は少なくとも一つの第１軸座３３１と第２軸座３３２で構成され、該第１軸座３３１に端孔３３１１が設けられ、該第１軸座３３１側縁に平台３３１２とネジ孔３３１３が設けられ、該第２軸座３３２の側縁に開口溝Ｃが設けられ、並びにその両側の端孔Ａが連通する。
【００１６】
該支持カバー４の底側に少なくとも一つの第２枢接機構４１が設けられ、該第２枢接機構４１は枢接孔４１１を具え、且つその側縁にネジ孔４１２が設けられてボルトＢ１のねじ込みに供される。
【００１７】
上述の本考案の抵抗式回転軸機構５０は、固定座５１、固定スライドブロック５２、可動スライドブロック５３、スプリング５４、軸棒５５、軸スリーブ５６及びナット５７で構成されている。
【００１８】
該固定座５１は平板５１０とその下縁より延伸された側板５１２からなる座体であり、該側板５１２に軸孔５１３が設けられ、該軸孔５１３の一側に垂直溝５１４が延伸され、別側に垂直切欠き５１５が延伸され、該平板５１０に少なくとも一つの穿孔５１１が設けられている。
【００１９】
該固定スライドブロック５２は、穿孔５２１が設けられ、その一側に二つの対応する凸塊５２２が設けられ、それはそれぞれ該垂直溝５１４及び垂直切欠き５１５に嵌合され、該固定スライドブロック５２の別側に円弧形起伏を有する第１接合面５２３が設けられている。
【００２０】
該可動スライドブロック５３は、穿孔５３１が設けられ、その一側に円弧形起伏を有する第２接合面５３２が設けられ、並びに該固定スライドブロック５２の第１接合面５２３と対応し接合される。
【００２１】
該スプリング５４は、その一端が該可動スライドブロック５３に当接し、その別端が該軸棒５５に当接する。
【００２２】
該軸棒５５は、一側に棒体５５１を有し、該棒体５５１の末端にネジ部５５２が設けられて該ナット５７と螺合され、該軸棒５５の別側は固定ヘッド５５３とされ、該軸棒５５の棒体５５１は順に、該スプリング５４、該可動スライドブロック５３、該固定スライドブロック５２及び固定座５１に通され、並びに該ナット５７により固定される。
【００２３】
該軸スリーブ５６は、その一端に嵌合部５６１が設けられて該弾性素子５８の嵌合に供され、並びに該嵌合部５６１に接近する位置に係止溝５６２が設けられ、該軸スリーブ５６の別側に挿入溝５６３が設けられて該軸棒５５の固定ヘッド５５３が置き入れられ、且つ該挿入溝５６３の側縁に位置決め孔５６４が設けられて、ボルトＢ１のねじ込みに供される（図４、６、９）。
【００２４】
上述の本考案の弾性素子５８は、図６、７に示されるように、少なくとも一つの弾性体５８１で構成され、その一端に第１足５８２が設けられ、該第１足５８２は該係止溝５６２に嵌め込まれ位置決めされ、別端に第２足５８３があり、該弾性体５８１は該軸スリーブ５６の嵌合部５６１に嵌合される。最も理想的な設置条件は、該弾性体５８１に二つの弾性体５８１が設けられ、この二つの弾性体５８１は左右対応し、その二つの第２足５８３は直線状に連設され一体とされ、こうして二つの抵抗式回転軸機構５０が配置されている時に、その動作に良好な弾力平衡効果を具備させる。上述の弾性素子５８はねじりバネ或いはねじり板バネとされ得る。
【００２５】
組立時には、順に、スプリング５４、可動スライドブロック５３、固定スライドブロック５２、固定座５１を該軸棒５５の棒体５５１に嵌合し、さらにナット５７で固定し、さらに、軸棒５５の固定ヘッド５５３を該第２枢接機構４１の枢接孔４１１内に挿入し、さらに該軸スリーブ５６を枢接孔４１１の別端より挿入し、並びに該固定ヘッド５５３をその挿入溝５６３と嵌合固定し、該弾性素子５８の弾性体５８１は該第１枢接機構３３の第２軸座３３２の開口溝Ｃ内に置き入れ、両端の弾性体５８１は該軸スリーブ５６の嵌合部５６１に嵌合させる。該固定座５１の平板５１０は該第１軸座３３１の平台３３１２に置き、並びにナット５７を第１軸座３３１の端孔３３１１内に置き、さらにボルトＢ２を穿孔５１１に挿入してネジ孔３３１３と螺合固定する（図８のとおり）。
【００２６】
上述の部品の組合せにより、該支持カバー４を任意に正逆の角度回転させられ（図１０、図１１）、該抵抗式回転軸機構５０は該スプリング５４を利用して可動スライドブロック５３を支持し、該可動スライドブロック５３の第２接合面５３２を緊密に該固定スライドブロック５２の第１接合面５２３に接合させ、且つ該第１接合面５２３及び該第２接合面５３２は円弧形起伏の表面を有することから、外力作用を受けない状態で、該スプリング５４の弾力はポータブル電子装置の本体３の重量より遥かに大きく、ゆえに該支持カバー４を支持してどのような角度に回転させられても角度変移を発生せず、特に、該支持カバー４が本体３に接近する方向に回転させられる時（すなわち傾斜角度が水平位置に接近する方向）、該弾性素子５８の作用力は小さくなり、スプリング５４の弾力のみで十分にポータブル電子装置が取り付けられた本体３の重量を支持でき、回転軸装置５の正逆方向回転の過程中に、非対称性の異なる抵抗を発生し、定位を達成し変移しない。
【００２７】
これにより、該支持カバー４が前方に向けて水平から離れる方向に回転させられる時、該弾性素子５８のねじれの弾力は漸次増加し、その力は漸次増加してスプリング５４の支持力を打ち消し、こうして該回転軸装置５の抵抗力を減らすことができ、回転力が小さくなり、操作が楽になる。
【００２８】
反対に、回転位置が水平位置に接近するほど、該弾性素子５８の作用力は小さくなり、スプリング５４が受ける打ち消しの力は小さくなり、ゆえにポータブル電子装置が取り付けられた本体３の重量負荷を支持することができ、支持カバー４がある角度に回された時に定位に維持して変移しない。
【００２９】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【符号の説明】
【００３０】
１  電子装置                    １０  スクリーン
２  支持フレーム                ２１  保護スリーブ本体
２２  支持カバー                ２３  回転軸装置
２３０  回転軸機構              ２３１  固定座
２３２  固定スライドブロック    ２３３  可動スライドブロック
２３４  スプリング              ２３５  軸棒
２３６  ナット                  ３  本体
３１  上半部                    ３１０  窓
３１１  框体                    ３２  下半部
３２１  収納切欠き              ３３  第１枢接機構
３３１  第１軸座                ３３１１  端孔
３３１２  平台                  ３３１３  ネジ孔
３３２  第２軸座                Ａ  端孔
Ｂ１、Ｂ２  ボルト              Ｃ  開口溝
４  支持カバー                  ４１  第２枢接機構
４１１  枢接孔                  ４１２  ネジ孔
５  回転軸装置                  ５０  抵抗式回転軸機構
５１  固定座                    ５１０  平板
５１１  穿孔                    ５１２  側板
５１３  軸孔                    ５１４  垂直溝
５１５  垂直切欠き              ５２  固定スライドブロック
５２１  穿孔                    ５２２  凸塊
５２３  第１接合面              ５３  可動スライドブロック
５３１  穿孔                    ５３２  第２接合面
５４  スプリング                ５５  軸棒
５５１  棒体                    ５５２  ネジ部
５５３  固定ヘッド              ５６  軸スリーブ
５６１  嵌合部                  ５６２  係止溝
５６３  挿入溝                  ５６４  位置決め孔
５７  ナット                    ５８  弾性素子
５８１  弾性体                  ５８２  第１足
５８３  第２足
【図１】
0003165051.tif 000003
【図２】
0003165051.tif 000004
【図３】
0003165051.tif 000005
【図４】
0003165051.tif 000006
【図５】
0003165051.tif 000007
【図６】
0003165051.tif 000008
【図７】
0003165051.tif 000009
【図８】
0003165051.tif 000010
【図９】
0003165051.tif 000011
【図１０】
0003165051.tif 000012
【図１１】
0003165051.tif 000013
【手続補正書】
【提出日】平成22年10月21日(2010.10.21)
【手続補正１】
【補正対象書類名】実用新案登録請求の範囲
【補正対象項目名】全文
【補正方法】変更
【補正の内容】
【実用新案登録請求の範囲】
【請求項１】
非対称性抵抗回転軸装置において、少なくとも一つの抵抗式回転軸機構と弾性素子で構成され、該抵抗式回転軸機構は本体底側の第１枢接機構を枢接するのに用いられ、該抵抗式回転軸機構は、固定座、固定スライドブロック、可動スライドブロック、スプリング、軸棒、軸スリーブ及びナットで構成され、
該固定座は平板とその下縁より延伸された側板からなる座体であり、該平板に少なくとも一つの穿孔が設けられ、
該固定スライドブロックは、穿孔が設けられ、その一側に二つの対応する凸塊が設けられ、該固定スライドブロックの別側に円弧形起伏を有する第１接合面が設けられ、
該可動スライドブロックは、穿孔が設けられ、その一側に円弧形起伏を有する第２接合面が設けられ、並びに該固定スライドブロックの第１接合面と対応し接合され、
該スプリングは、その一端が該可動スライドブロックに当接し、その別端が該軸棒に当接し、
該軸棒は、一側に棒体を有し、該棒体の末端にネジ部が設けられて該ナットと螺合され、該軸棒の別側は固定ヘッドとされ、該軸棒の棒体は順に、該スプリング、該可動スライドブロック、該固定スライドブロック及び該固定座に通され、並びに該ナットにより固定され、
該軸スリーブは、その一端に嵌合部が設けられて該弾性素子の嵌合に供され、
該弾性素子は該抵抗式回転軸機構と同一軸線上にあり、該弾性素子は該抵抗式回転軸機構に作用し、該弾性素子の一方向抵抗作用を利用し、該支持カバーが正逆方向に回転する時に、一方向の抵抗が大きく、別方向の抵抗が小さい非対称性の回転軸効果を発生し、該抵抗式回転軸機構の抵抗を減らすことを特徴とする、非対称性抵抗回転軸装置。
【請求項２】
請求項１記載の非対称性抵抗回転軸装置において、該弾性素子がねじりバネとされたことを特徴とする、非対称性抵抗回転軸装置。
【請求項３】
請求項１記載の非対称性抵抗回転軸装置において、該弾性素子がねじり板バネとされたことを特徴とする、非対称性抵抗回転軸装置。
【請求項４】
請求項１記載の非対称性抵抗回転軸装置において、該弾性素子が少なくとも一つの弾性体を具えたことを特徴とする、非対称性抵抗回転軸装置。
【請求項５】
請求項１記載の非対称性抵抗回転軸装置において、該軸スリーブが該嵌合部に近接する位置に係止溝が設けられて該弾性素子の第１足が嵌め込まれて固定され、該軸スリーブの別側に挿入溝が設けられて該軸棒の固定ヘッドが置き入れられたことを特徴とする、非対称性抵抗回転軸装置。